(57)【要約】      （修正有）【課題】室内インテタアとの調和を保ちやすいデザイン性を備え、人とペットとしての犬との生活エリアが明確に区別されてそれらの混同をなくすることができるにもかかわらず、居住空間に居る人とペットハウスに居る犬との間の一体感を損なわないようにする。【解決手段】天面開放の中空室Ｒを形成するハウス本体１を透明のアクリル樹脂で製作し、そのハウス本体１に開閉可能な犬の出入口３を設ける。飲み水用のノズルを開口５から中空室Ｒに臨ませ、壁板１１には空調器具の取付けなどに活用できる多目的開口６を形成する。【選択図】図７
0003110627.tif 000002
【実用新案登録請求の範囲】
【請求項１】
中空室を形成するハウス本体を透明樹脂で製作し、そのハウス本体の壁板に、ペットが出入りするための開閉可能な出入口を具備させてあることを特徴とするペットハウス。
【請求項２】
上記ハウス本体の天面が開放されている請求項１に記載したペットハウス。
【請求項３】
上記ハウス本体の天面を開閉する蓋体を追加してある請求項２に記載したペットハウス。
【請求項４】
上記ハウス本体が天板を一体に有している請求項１に記載したペットハウス。
【請求項５】
上記ハウス本体の壁板の複数箇所にフード入れが着脱される取付孔が備わっていると共に、その壁板に飲み水を溜めるボトルに装着されたノズルをハウス本体の中空室に臨ませるための開口が備わり、その開口から上記中空室に臨んだ上記ノズルを使ってペットとしての犬がその中空室内で水を飲むことができるようになっていると共に、その壁板に、冷却ファンやヒータなどの空調器具の取付けやそれらの電気コードの引廻しのために使用可能な多目的開口が備わっている請求項１ないし請求項４のいずれか１項に記載したペットハウス。
【請求項６】
上記出入口を開閉する扉が、透明樹脂又は枠組み体によって形成された外開き扉である請求項１ないし請求項５に記載したペットハウス。
【請求項７】
上記壁板が前板部と背板部と左右の側板部とを有し、上記出入口が前板部に備わり、前板部と左右の側板部とによって形作られるコーナ部が平面視円弧状に形成され、背板部と左右の側板部とによって形作られるコーナ部が平面視直角形状に形成されている請求項１ないし請求項６のいずれか１項に記載したペットハウス。
【請求項８】
上記透明樹脂がアクリル樹脂又はポリカーボネート樹脂である請求項１ないし請求項７のいずれか１項に記載したペットハウス。
【考案の詳細な説明】
【技術分野】
【０００１】
本考案は、ペットハウス、たとえばペットとしての犬を、人の居住空間である室内で人と共に一体感を持って生活させるための対策が講じられたペットハウスに関する。
【背景技術】
【０００２】
人の居住空間である住宅の室内で犬をペットとして飼う場合、ケージと呼ばれる柵型のペットハウスを室内の隅や窓際に設置し、そのような柵型のペットハウスの中に犬が生活するのに必要とされる下敷きなどを置いておくという方法を採ることが多かった。
【考案の開示】
【考案が解決しようとする課題】
【０００３】
しかしながら、近時では人の居住空間である室内のインテリアが洗練されてきていることなどから、従来の柵型のペットハウスを室内に設置すると、室内インテリアとの調和が保たれなくなって顕著な違和感を生じるという事態が多々生じていた。
【０００４】
また、柵型のペットハウスで犬を飼っても、そのペットハウスに犬が入っているときには、ペットハウスを形作っている柵型のケージが人の居住空間とペットハウスの室内との連続性を遮ってしまって人の居住空間である室内とペットハウスの室内とが別々のエリア空間であるという感覚を持つことを否めず、居住空間に居る飼い主とペットハウスに居る犬との一体感が得られにくいために人と犬とが一緒に暮らしているということを実感しにくいという現実があった。
【０００５】
さらに、犬をペットとして飼う場合に、チワワ、ソプラノその他の各種の犬を同時に飼うということも行われているけれども、その場合に、従来の柵型のペットハウスを人の居住空間である室内に幾つか設置すると、その柵型のペットハウスに特有の外観によって室内が乱雑な感じになりやすいということも云われていた。
【０００６】
本考案は以上の状況の下でなされたものであり、当該ペットハウスを構成するための材料が発揮する性質にこだわり、人の居住空間である室内の隅や窓際、通路脇などに設置した場合に、洗練された室内インテタアとの調和が保たれて違和感を生じにくく、しかも、人と犬との生活エリアが明確に区別されてそれらの混同をなくすることができるにもかかわらず、ペットとしての犬が当該ペットハウスに入っているときでも居住空間に居る人とペットハウスに居る犬との間の一体感が損なわれにくくなって人と犬とが一緒に暮らしているということを実感しやすくなるペットハウスを提供することを目的とする。
【０００７】
また、各種の犬を同時に飼うために当該ペットハウスを複数設置した場合であっても、室内が乱雑な感じにならずに済み、しかも、個々のペットハウスに入っている犬同士や、居住空間に居る人とペットハウスに居る犬との間の一体感が損なわれにくくなるペットハウスを提供することを目的とする。
【課題を解決するための手段】
【０００８】
本考案に係るペットハウスは、中空室を形成するハウス本体を透明樹脂で製作し、そのハウス本体の壁板に、ペットが出入りするための開閉可能な出入口を具備させてある。このペットハウスでは、上記ハウス本体の天面が開放されていても、上記ハウス本体の天面を開閉する蓋体を追加してあっても、上記ハウス本体が天板を一体に有していてもよい。
【０００９】
この構成を備えたペットハウスは、ハウス本体を構成している透明樹脂が発揮する透明性によって、ハウス本体自体がクリア感を発揮して、洗練された室内インテリアとの間に違和感を生じにくくなる。この作用は、ハウス本体の天面が開放されている場合だけでなく、ハウス本体の天面を開閉する蓋体を追加してある場合や、ハウス本体が天板を一体に有している場合にも同様に発揮される。
【００１０】
また、ハウス本体が開閉可能な出入口を備えているために、その出入口を閉めておくことによって犬が出入りできなくなり、その出入口を開けておくと犬が自由に出入りできるようになるので、人と犬との生活エリアが明確に区別されてそれらの混同をなくすることができる。それにもかかわらず、透明樹脂が発揮する性質によってハウス本体の中空室への採光性やハウス本体の中空室の内外間での透視性が確保されるために、居住空間に居る人とペットハウスに居る犬との間の一体感が損なわれにくくなって人と犬とが一緒に暮らしているということを実感しやすくなるというだけでなく、ハウス本体の天面が開放されているためにその中空室の通気性や空調が人の居住空間と同様に保たれる。
【００１１】
さらに、複数個を並べて設置した場合でも、そのペットハウスを構成している透明樹脂のクリア感や透明性によって、室内が乱雑な感じにならずに済み、個々のペットハウスに入っている犬同士や、居住空間に居る人とペットハウスに居る犬との間の一体感も損なわれにくい。
【００１２】
本考案では、上記ハウス本体の壁板の複数箇所にフード入れが着脱される取付孔が備わっていると共に、その壁板に飲み水を溜めるボトルに装着されたノズルをハウス本体の中空室に臨ませるための開口が備わり、その開口から上記中空室に臨んだ上記ノズルを使ってペットとしての犬がその中空室内で水を飲むことができるようになっていると共に、その壁板に、冷却ファンやヒータなどの空調器具の取付けやそれらの電気コードの引廻しのために使用可能な多目的開口が備わっているという構成を採用することが可能である。これによれば、ハウス本体の中空室に居る犬が自由にノズルを使って水を飲んだり、フード入れに入っているフードを食べたりすることが可能になるだけでなく、その中空室の個別空調を行うための冷却ファンやヒータなどの空調器具を整然と設置することが可能になる。そのために、中空室を個別に空調する必要が生じた場合でも、室内インテリアとの調和を乱さずに空調器具の設置が可能になる。また、フード入れは複数箇所の取付孔のいずれかを選んで取り付けることができるので、ペットハウス内の造作に応じてその設置場所をえらぶことができるという利点がある。
【００１３】
本考案では、上記出入口を開閉する扉が、透明樹脂又は枠組み体によって形成された外開き扉であることが望ましい。これによれば、扉によってペットハウスの採光性や透視性が損なわれることがない。特に、扉を枠組み体によって形成した場合には、その枠組み体を透明なペットハウスの存在感を示すアクセントとすることが可能になるという利点がある。さらに、扉を外開き扉としたことにより、扉が内側に開いて造作のじゃまになるという不都合や、内側に開いて飼い主がその扉を閉めにくくなるという不都合が起こらない。
【００１４】
本考案では、上記壁板が前板部と背板部と左右の側板部とを有し、上記出入口が前板部に備わり、前板部と左右の側板部とによって形作られるコーナ部が平面視円弧状に形成され、背板部と左右の側板部とによって形作られるコーナ部が平面視直角形状に形成されている、という構成を採用することが可能であり、この構成を採用すると、たとえば複数のペットハウスを壁面に沿って並べて設置するようなときに、壁面側でペットハウス相互間に隙間が生じなくなってその設置レイアウトを整然と行うことができるようになるという利点がある。
【００１５】
本考案では、上記透明樹脂がアクリル樹脂又はポリカーボネート樹脂であることが望ましい。これら２種類の樹脂でハウス本体や扉を製作すると、そのペットハウスがクリアな透明感を発揮するだけでなく、そのペットハウスに容易に割れない高強度が付与されると共に、容易に傷付きを生じることのない表面硬度が付与されるので、デザイン性に優れ、上記した人と犬との一体感が長期に亘って損なわれないことは勿論、犬による引掻き傷などが付かなくなって長期に亘って初期の美麗なクリア感が維持されるという利点がある。
【考案の効果】
【００１６】
以上のように、本考案に係るペットハウスは、従来の柵型ペットハウスと比べると、当該ペットハウスを構成するための材料が発揮するクリアな透明性や透視性により、洗練された室内インテタアとの調和が保たれて違和感を生じにくくなるという効果が得られるほか、人と犬との生活エリアが明確に区別されてそれらの混同をなくすることができるにもかかわらず、居住空間に居る人とペットハウスに居る犬との間の一体感が損なわれにくくなって人と犬とが一緒に暮らしているということを実感しやすくなるという効果が奏される。また、当該ペットハウスを複数設置した場合であっても、室内が乱雑な感じにならずに済み、個々のペットハウスに入っている犬同士や、居住空間に居る人とペットハウスに居る犬との間の一体感が損なわれにくくなるという効果も奏される。
【考案を実施するための最良の形態】
【００１７】
図１は本考案の実施形態に係るペットハウスの基本構成を一部断面で示した分解図、図２は同ペットハウスの他の基本構成の断面図、図３は同ペットハウスのさらに他の基本構成の断面図、図４は同ペットハウスのさらに他の基本構成の要部の断面図である。また、図５は同ペットハウスの平面形状の一例などを説明するための平面図、図６は同ペットハウスの平面形状の他の例を説明するための平面図、図７は実施形態に係るペットハウスの透視斜視図、図８は扉の変形例を示した正面図である。
【００１８】
この実施形態のペットハウスは、図１〜図４の各図に示した基本構成を有するものに分けられる。図１のものは、中空室を形成する天面開放のハウス本体１が、透明樹脂で製作された四角筒形の壁板１１と底板１２とに分割されていて、底板１２の複数箇所に設けた位置決め突起１３の外側に四角筒形の壁板１１の下部を嵌合させて底板１２の上に設置することにより、ハウス本体１が構成されるようになっている。底板１２にキャリア１４を設けて移動の便宜を図ることも可能である。これに対し、図２のものは、天面開放のハウス本体１の全体が透明樹脂で製作されていて、四角筒形の壁板１１に底板１２が一体化されている。このハウス本体１についても、底板１２にキャリア（不図示）を設けることによってその移動の便宜を図ることが可能である。さらに、図３のものは、有底のハウス本体１の天面が開放されていて、その天面を開閉する透明な蓋体１５を追加したものであり、蓋体１５をハウス本体１の天面に着脱することによってその天面を開閉することが可能である。図例では透明な蓋体１５をハウス本体１と別体として製作したものを示してあるけれども、透明な蓋体１５をハウス本体１にヒンジで連結して開閉可能としても、あるいはスライド機構を具備させてスライド式に開閉可能としてもよい。さらに、図４のものは、有底のハウス本体１の天面を、そのハウス本体１と一体の透明な天板１６によって塞いである。この場合の天板１６は、ハウス本体１と一体成形されたものであっても、ハウス本体１に天板用のプレートを接着剤などで接合したものであってもよい。
【００１９】
ハウス本体１の平面視形状は矩形に限定されず、円形、扇形、菱形、星形、その他の任意の形状を選択することができるけれども、図５には壁際などに並べて設置する場合に有利な平面視形状を示し、図６には壁面などに沿わせずに設置する場合に有利な平面視形状を示してある。
【００２０】
すなわち、図５に示した平面視形状は、四角筒形の壁板１１の前板部１１ａと左右の側板部１１ｂ，１１ｂとによって形作られる左右の出隅状の各コーナ部イ，イが平面視円弧状に形成され、背板部１１ｃと左右の側板部１１ｂ，１１ｂとによって形作られる左右の出隅状の各コーナ部ロ，ロが平面視直角形状に形成されている。ハウス本体１の平面視形状がこのように形作られていると、壁面Ｗに沿って複数のハウス本体１…を並べて設置するようなときに、壁面Ｗ側でペットハウス相互間に隙間が生じなくなってその設置レイアウトを整然と行うことができるようになるという利点に加えて、前側に位置するコーナ部イ，イの丸みが視覚に訴えられて室内インテリアとの調和を保つことに役立つことが多い。
【００２１】
これに対し、図６に示した平面視形状は、四角筒形の壁板１１の前板部１１ａと左右の側板部１１ｂ，１１ｂとによって形作られる左右の出隅状の各コーナ部イ，イや、背板部１１ｃと左右の側板部１１ｂ，１１ｂとによって形作られる左右の出隅状の各コーナ部ロ，ロが、いずれも平面視円弧状に形成されている。ハウス本体１の平面視形状がこのように形作られていると、すべてのコーナ部イ，ロの丸みが視覚に訴えられて室内インテリアとの調和を保つことに役立つことが多い。
【００２２】
図７に示した実施形態に係るペットハウスは、天面２が開放された中空室Ｒを形成するハウス本体１が、透明樹脂の一例であるアクリル樹脂の板材を成形することによって形作られていて、その前板部１１ａの下半部中央にゲート状の出入口３を形成し、その出入口３にヒンジ３１を介して扉４を開閉可能に取り付けてある。この扉４は、ハウス本体１を形作っているものと同様の透明なアクリル樹脂を用いて作られているけれども、この点は、図６に示した枠組み構造を持つ枠組み体によって構成してアクリル樹脂を用いない構成とすることも可能である。また、扉４にはロック４１を取り付けてあり、このロック４１によって扉４を開かないようにロックすることが可能になっている。そして、ロック４１やヒンジ３１を扉４や前板部１１ａの表側に取り付け、扉４を閉めたときにはロック４１が出入口３の口縁の表側に当接するようにして、その扉４が内側に開かれることのない扉、すなわち外開き扉として形成されている。さらに、ハウス本体１の片側の側板部１１ｂには、飲み水を溜めるボトルＢに装着されたノズルＮをハウス本体１の中空室Ｒに臨ませるための開口５や、冷却ファンやヒータなどの空調器具（不図示）の取付けやそれらの電気コード（不図示）の引廻しのために使用可能な多目的開口６…が所要箇所に備わっている。さらに、左右の側板部１１ｂや背板部１１ｃにはそれらの幅方向両側の２箇所に取付孔８が開設されていて、そのうちの１つにフード入れ８１が取り付けられている。このように取付孔８を複数箇所に形成しておくと、フード入れ８１を複数箇所の取付孔のいずれかを選んで取り付けることができるので、ペットハウス内の造作に応じてその設置場所をえらぶことができるという利点がある。
【００２３】
このようなペットハウスにおいて、ハウス本体１の中空室Ｒには、必要に応じて下敷きなどの敷物を敷いて犬の居住性を高めることが可能である。
【００２４】
図７を参照して説明したペットハウスは、ハウス本体１がアクリル樹脂製であるために、ペットハウスがクリアな透明感を発揮して洗練された室内インテリアとの調和が保たれる。また、ハウス本体１を形作っている壁板１１が、人の居住空間である室内に対して中空室Ｒを物理的に仕切り、その上で、アクリル樹脂の性質である高度の透明性や透視性を備えるので、人と犬との生活エリアが明確に区別されてそれらの混同をなくすることができるにもかかわらず、ハウス本体１の中空室Ｒへの採光性やハウス本体１の中空室Ｒの内外間での視覚的な透視性が確保されて、居住空間に居る人とペットハウスに居る犬との間の一体感が損なわれにくくなり、人と犬とが一緒に暮らしているということを実感しやすくなる。また、ハウス本体１の天面２が開放されているためにその中空室Ｒの通気性や空調が人の居住空間と同様に保たれて、犬を人と同様の空調環境で生活させることが可能になる。
【００２５】
さらに、アクリル樹脂の性質により、ハウス本体１に容易に割れない高強度が付与され、容易に傷付きを生じることのない表面硬度が付与されるので、犬による引掻き傷などが付かなくなって長期に亘って初期の美麗なクリア感が維持されるようになる。
【００２６】
特に、この実施形態では、飲み水を溜めるボトルＢに装着されたノズルＮをハウス本体１の中空室Ｒに開口５を介して臨ませてあるので、そのノズルＮを使って犬が中空室Ｒ内に居ながらにして水を飲むことができるという利点がある。そのほか、中空室Ｒの個別空調を行うための冷却ファンやヒータなどの空調器具を多目的開口６を活用して整然と設置することが可能になるので、中空室Ｒを個別に空調する必要が生じた場合でも、室内インテリアとの調和を乱さずに空調器具の設置が可能になる。
【００２７】
この実施形態では、ハウス本体１を形作っている透明樹脂としてアクリル樹脂を用いているけれども、アクリル樹脂の代わりにポリカーボネート樹脂を用いても同様の作用が発揮される。
【００２８】
この実施形態では、ペットが犬である場合を説明したけれども、ペットの種類は犬以外、たとえば猫、ハムスターその他の動物であってもよい。
【図面の簡単な説明】
【００２９】
【図１】本考案の実施形態に係るペットハウスの基本構成を一部断面で示した分解図である。
【図２】同ペットハウスの他の基本構成の断面図である。
【図３】同ペットハウスのさらに他の基本構成の断面図である。
【図４】同ペットハウスのさらに他の基本構成の要部の断面図である。
【図５】同ペットハウスの平面形状の一例などを説明するための平面図である。
【図６】同ペットハウスの平面形状の他の例を説明するための平面図である。
【図７】実施形態に係るペットハウスの透視斜視図である。
【図８】扉の変形例を示した正面図である。
【符号の説明】
【００３０】
１  ハウス本体
２  天面
３  出入口
５  開口
６  多目的開口
８  取付孔
１１  壁板
１１ａ  前板部
１１ｂ  側板部
１１ｃ  背板部
１５  蓋体
１６  天板
８１  フード入れ
イ，ロ  コーナ部
Ｂ  ボトル
Ｎ  ノズル
Ｒ  中空室
【図１】
0003110627.tif 000003
【図２】
0003110627.tif 000004
【図３】
0003110627.tif 000005
【図４】
0003110627.tif 000006
【図５】
0003110627.tif 000007
【図６】
0003110627.tif 000008
【図７】
0003110627.tif 000009
【図８】
0003110627.tif 000010